(57)【要約】【課題】  この発明は、地上波デジタルＴＶ放送信号の同一チャンネルの干渉妨害の発生を防止できるとともに受信機側で周波数変換が不要となり、しかも視聴している地上波デジタルＴＶ放送のチャンネルが認識しやすくなる地上波デジタルＴＶ放送の無線再配信システムを提供することを目的とする。【解決手段】  ＴＶ受信機は、視聴希望チャンネル入力手段によって入力された地上波デジタルＴＶ放送の視聴希望チャンネルを表示させる手段を備えている。【選択図】  図５
2006074270.tif 000002
【特許請求の範囲】
【請求項１】
地上波デジタルＴＶ放送信号の周波数帯であるＵＨＦ帯のＴＶ放送信号の他に、ＶＨＦ帯のＴＶ放送信号を受信可能なＴＶ受信機、屋外アンテナで受信した地上波デジタルＴＶ放送信号が入力され、入力された地上波デジタルＴＶ放送信号を周波数変換した後に無線送信する送信機、地上波デジタルＴＶ放送の視聴希望チャンネルを送信機およびＴＶ受信機に入力させるための視聴希望チャンネル入力手段、および上記送信機から送信される信号を受信して増幅した後、上記ＴＶ受信機に供給する受信機を備えており、
上記送信機は、入力された地上波デジタルＴＶ放送信号のうち上記視聴希望チャンネル入力手段によって入力された視聴希望チャンネルの地上波デジタルＴＶ放送信号が、予め設定されたＶＨＦ帯の特定の１つの空きチャンネルの周波数に変換されるように、入力された地上波デジタルＴＶ放送信号を一括して周波数変換する周波数変換手段、周波数変換手段によって得られたＴＶ放送信号のうち、上記予め設定されたＶＨＦ帯の特定の１つの空きチャンネルの周波数帯のＴＶ放送信号のみを抽出するフィルタ手段、および上記フィルタ手段によって抽出されたＴＶ放送信号を増幅して無線送信する送信手段を備えており、
上記ＴＶ受信機は、上記視聴希望チャンネル入力手段によって入力された地上波デジタルＴＶ放送の視聴希望チャンネルを表示させる手段を備えていることを特徴とする地上波デジタルＴＶ放送の無線再配信システム。
【請求項２】
予め設定されたＶＨＦ帯の特定の１つの空きチャンネルの周波数が、３２２ＭＨｚ以下のＶＨＦ帯の特定の１つの空きチャンネルの周波数であることを特徴とする請求項１に記載の地上波デジタルＴＶ放送の無線再配信システム。
【請求項３】
上記視聴希望チャンネル入力手段は、送信機およびＴＶ受信機に無線または赤外線によって視聴希望チャンネルを送信するリモコン送信機であることを特徴とする請求項１および２のいずれかに記載の地上波デジタルＴＶ放送の無線再配信システム。
【請求項４】
上記視聴希望チャンネル入力手段は、送信機に無線または赤外線によって視聴希望チャンネルを送信するリモコン送信機、上記リモコン送信機から上記送信機に送られた視聴希望チャンネルを、上記送信機および上記受信機を介して上記ＴＶ受信機に入力させる手段を備えていることを特徴とする請求項１および２のいずれかに記載の地上波デジタルＴＶ放送の無線再配信システム。
【発明の詳細な説明】
【技術分野】
【０００１】
この発明は、地上波デジタルＴＶ放送の無線再配信システムに関する。
【背景技術】
【０００２】
日本の地上波デジタルＴＶ放送は、２００３年１２月１日より関東、中京、近畿の三大都市圏で放送が開始されている。地上波デジタルＴＶ放送は、マルチパス干渉に強いＯＦＤＭ（直交周波数分割多重）方式を採用しており、アナログＴＶ放送などで発生していた画像の多重映り（ゴースト障害）がほとんどなく安定した高画質受信ができる。地上波デジタルＴＶ放送は、ＵＨＦ帯（４７０〜７７０ＭＨｚ）で放送されている。
【０００３】
地上波デジタルＴＶ放送を地上波デジタルＴＶ受信機で受信する形態としては、一般的には、次のようなものがある。
【０００４】
（１）  屋外アンテナによって地上波デジタルＴＶ放送信号を受信する。屋外アンテナによって受信された地上波デジタルＴＶ放送信号を、アンテナケーブルによって各部屋に分配し、各部屋の壁面に設けられているＴＶ端子に導く。そして、各部屋の壁面に設けられているＴＶ端子に、地上波デジタルＴＶ受信機のアンテナ端子をアンテナケーブルを介して接続する。
このような受信形態では、壁面に設けられているＴＶ端子に、地上波デジタルＴＶ受信機のアンテナ端子をアンテナケーブルを用いて接続する必要があるため、美観を損なうとともに、その配線が煩わしいという問題がある。また、ＴＶ受信機のレイアウトが制限されるため、ＴＶ受信機の設置位置の自由度が阻害されるという問題がある。
【０００５】
（２）  屋上（屋根の上）にアンテナを設置せずに、軒先やベランダにＵＨＦアンテナ（例えば、ＵＤＭＦ６２：日本アンテナ製）を設置し、そこからアンテナケーブルを屋内に引き込み、地上波デジタルＴＶ受信機のアンテナ端子に直接接続する。
このような受信形態においても、アンテナケーブルを部屋の中に引き込んで、地上波デジタルＴＶ受信機に接続する必要があるため、美観を損なうとともに、その配線が煩わしいという問題がある。また、ＴＶ受信機のレイアウトが制限されるため、ＴＶ受信機の設置位置の自由度が阻害されるという問題がある。
【０００６】
（３）  地上波デジタルＴＶ受信機に接続された室内アンテナで地上波デジタルＴＶ放送信号を受信する。
このような受信形態では、アンテナケーブルの配線に起因するＴＶ受信機のレイアウトに対する制限がなくなるが、室内での電波遮断ロスが生じるという問題がある。特に、地上波デジタルＴＶ放送信号で使われるＵＨＦ帯は、地上波アナログＴＶ放送で利用されているＶＨＦ帯に比べて建造物通過時の減衰ロスが大きいため、受信感度の観点からＴＶ受信機の設置位置が制限されるという問題がある。
【０００７】
そこで、屋内に入力される地上波デジタルＴＶ放送信号を、無線送信機によって増幅して、ＴＶ受信機に無線で再送信する室内再送信システムが開発されている（特開２００４−１２８７１９号公報、特開２００４−１２７２０号公報参照）。この室内再送信システムでは、屋内に入力されるＵＨＦ帯の地上波デジタルＴＶ放送信号を周波数変換することなく、そのまま増幅して再送信している。
【０００８】
ＵＨＦ帯の周波数帯では、後述するように、無線送信機の送信出力レベルが非常に低いレベルに制限されているため、伝送距離はほとんど近距離伝送しかできないという問題がある。
【０００９】
また、放送局から送出される直接放送電波と、無線送信機から送出される再送信電波の両波が室内受信アンテナから受信入力された場合、同じ周波数チャンネルの信号がＴＶ受信機に入力されることとなり、同一チャンネルの干渉妨害が発生して、受信できなくなるケースが発生する。
【００１０】
これを防止するために、地上波デジタルＴＶ放送信号の同一チャンネル妨害による劣化を防ぐような工夫が、別途アンテナや回路に必要となるという問題がある。
【特許文献１】特開２００４−１２８７１９号公報
【特許文献２】特開２００４−１２７２０号公報
【発明の開示】
【発明が解決しようとする課題】
【００１１】
そこで、本出願人は、送信機側で周波数変換を行うことにより、地上波デジタルＴＶ放送信号の同一チャンネルの干渉妨害の発生を防止でき、しかも受信機側で周波数変換が不要となる地上波デジタルＴＶ放送用の無線再配信システム（本出願時点では公知となっていない）を開発した。
【００１２】
以下、本出願人が開発した地上波デジタルＴＶ放送用の無線再配信システムについて説明する。
【００１３】
この無線再配信システムは、次のような実情（１）、（２）を利用してなされたものである。
【００１４】
（１）  後述するように、地上波デジタルＴＶ放送用の据え置き型ＴＶ受信機は、ＵＨＦ帯に加えて、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能となるように設計されていることが多いと考えられる。
【００１５】
（２）  また、後述するように、微弱電波規格では、３２２ＭＨｚ以下及び１５０ＧＨｚ以上の周波数帯に対する電界強度の制限は、３２２ＭＨｚから１５０ＧＨｚの周波数帯に対する電界強度の制限に比べて緩くなっている。
【００１６】
本出願人が開発した地上波デジタルＴＶ放送用の無線再配信システムは、地上波デジタルＴＶ放送信号の周波数帯であるＵＨＦ帯のＴＶ放送信号の他に、ＶＨＦ帯のＴＶ放送信号を受信可能なＴＶ受信機と、再配信用の送信機と、再配信用の受信機とを備えている。      
【００１７】
再配信用の送信機は、屋外アンテナから入力された地上波デジタルＴＶ放送信号のうち、所定の入力手段によって指定された視聴希望チャンネルの地上波デジタルＴＶ放送信号が、３２２ＭＨｚ以下の周波数であってかつＶＨＦ帯の特定の１つの空きチャンネルの周波数に変換されるように、入力された地上波デジタルＴＶ放送信号を一括して周波数変換し、得られたＴＶ放送信号のうち、上記ＶＨＦ帯の特定の１つの空きチャンネルの周波数帯のＴＶ放送信号のみを抽出し、抽出したＴＶ放送信号を増幅して無線送信する。
【００１８】
再配信用の受信機は、送信機から送信される信号を受信して増幅した後、ＴＶ受信機に供給する。ＴＶ受信機では、上記ＶＨＦ帯の特定の１つの空きチャンネルが選局されることにより、ユーザによって指定された視聴希望チャンネルの地上波デジタルＴＶ放送信号が放映される。
【００１９】
しかしながら、本出願人が開発した上記無線再配信システムでは、ＴＶ受信機側では、常にＶＨＦ帯の特定の１つの空きチャンネルが選局されるため、現在視聴している地上波デジタルＴＶ放送のチャンネルが、ユーザに認識されにくいという問題がある。
【００２０】
この発明は、地上波デジタルＴＶ放送信号の同一チャンネルの干渉妨害の発生を防止できるとともに受信機側で周波数変換が不要となり、しかも視聴している地上波デジタルＴＶ放送のチャンネルが認識しやすくなる地上波デジタルＴＶ放送の無線再配信システムを提供することを目的とする。
【課題を解決するための手段】
【００２１】
請求項１に記載の発明は、地上波デジタルＴＶ放送信号の周波数帯であるＵＨＦ帯のＴＶ放送信号の他に、ＶＨＦ帯のＴＶ放送信号を受信可能なＴＶ受信機、屋外アンテナで受信した地上波デジタルＴＶ放送信号が入力され、入力された地上波デジタルＴＶ放送信号を周波数変換した後に無線送信する送信機、地上波デジタルＴＶ放送の視聴希望チャンネルを送信機およびＴＶ受信機に入力させるための視聴希望チャンネル入力手段、および上記送信機から送信される信号を受信して増幅した後、上記ＴＶ受信機に供給する受信機を備えており、上記送信機は、入力された地上波デジタルＴＶ放送信号のうち上記視聴希望チャンネル入力手段によって入力された視聴希望チャンネルの地上波デジタルＴＶ放送信号が、予め設定されたＶＨＦ帯の特定の１つの空きチャンネルの周波数に変換されるように、入力された地上波デジタルＴＶ放送信号を一括して周波数変換する周波数変換手段、周波数変換手段によって得られたＴＶ放送信号のうち、上記予め設定されたＶＨＦ帯の特定の１つの空きチャンネルの周波数帯のＴＶ放送信号のみを抽出するフィルタ手段、および上記フィルタ手段によって抽出されたＴＶ放送信号を増幅して無線送信する送信手段を備えており、上記ＴＶ受信機は、上記視聴希望チャンネル入力手段によって入力された地上波デジタルＴＶ放送の視聴希望チャンネルを表示させる手段を備えていることを特徴とする。
【００２２】
請求項２に記載の発明は、請求項１に記載の地上波デジタルＴＶ放送の無線再配信システムにおいて、予め設定されたＶＨＦ帯の特定の１つの空きチャンネルの周波数が、３２２ＭＨｚ以下のＶＨＦ帯の特定の１つの空きチャンネルの周波数であることを特徴とする。
【００２３】
請求項３に記載の発明は、請求項１乃至２に記載の地上波デジタルＴＶ放送の無線再配信システムにおいて、上記視聴希望チャンネル入力手段は、送信機およびＴＶ受信機に無線または赤外線によって視聴希望チャンネルを送信するリモコン送信機であることを特徴とする。
【００２４】
請求項４に記載の発明は、請求項１乃至２に記載の地上波デジタルＴＶ放送の無線再配信システムにおいて、上記視聴希望チャンネル入力手段は、送信機に無線または赤外線によって視聴希望チャンネルを送信するリモコン送信機、上記リモコン送信機から上記送信機に送られた視聴希望チャンネルを、上記送信機および上記受信機を介して上記ＴＶ受信機に入力させる手段を備えていることを特徴とする。
【発明の効果】
【００２５】
この発明によれば、地上波デジタルＴＶ放送信号の同一チャンネルの干渉妨害の発生を防止できるとともに受信機側で周波数変換が不要となり、しかも視聴している地上波デジタルＴＶ放送のチャンネルが認識しやすくなる。
【発明を実施するための最良の形態】
【００２６】
以下、図面を参照して、この発明の実施例について説明する。
【実施例１】
【００２７】
〔１〕この発明が適用される地上波デジタル放送ＴＶ受信機についての説明
【００２８】
表１は、地上波デジタルＴＶ放送の各受信チャンネルと中心周波数とを示している。
【００２９】
【表１】
2006074270.tif 000003
【００３０】
地上波デジタルＴＶ放送の受信チャンネルは、ＵＨＦ１３ｃｈ〜ＵＨＦ６２ｃｈである。その中心周波数は、１３ｃｈで４７３＋１／７ＭＨｚであり、１４ｃｈで４７９＋１／７ＭＨｚであり、６２ｃｈで７６７＋１／７ＭＨｚである。
【００３１】
地上波デジタルＴＶ放送が導入される周波数帯域は、ＵＨＦ１３チャンネルから６２チャンネルの範囲であることから、地上波デジタル放送ＴＶ受信機の受信周波数範囲として当該周波数が受信できることが必要である。
【００３２】
現在、三大都市圏（関東広域圏、中京広域圏、近畿広域圏）で２００３年１２月より放送が開始されているが、この中の例えば、近畿圏の放送は表２に示すようになっている。      
【００３３】
【表２】
2006074270.tif 000004
【００３４】
一方、現行の地上波アナログＴＶ放送の受信形態は、集合住宅共聴を含めると共同受信が全世帯のほぼ半数を占めている。これら共聴施設における伝送帯域は、ＵＨＦ帯まで広帯域化されていないものが大半であり、ＵＨＦ  ＴＶ放送は、ＶＨＦ＿Ｌｏｗ／Ｈｉｇｈ（ＶＨＦロー／ハイバンド）、ＶＨＦ＿ＭＩＤ（ＶＨＦミッドバンド）およびＶＨＦ＿ＳＨＢ（ＶＨＦスーパーハイバンド）等の低い周波数の空きチャンネル（その地域で放送が行われていないチャンネル）にダウンコンバートして伝送していることが多い。
【００３５】
このため、特に地上波デジタルＴＶ放送用の据え置き型ＴＶ受信機についても、共同受信が想定されるため、地上波デジタル放送用受信機の受信チャンネル範囲については、ＵＨＦ帯に加えて、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）帯にも対応することが望ましいと、ＡＲＩＢ規格  ＡＲＩＢ  ＳＴＤ−Ｂ２１に規定されている。
【００３６】
従って、地上波デジタルＴＶ放送用の据え置き型ＴＶ受信機は、ＵＨＦ帯に加えて、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能となるように設計されていることが多いと考えられる。
【００３７】
表３は、ＶＨＦ＿Ｌｏｗ／Ｈｉｇｈ帯（ＶＨＦ１ｃｈ〜ＶＨＦ１２ｃｈ）の各受信チャンネルと中心周波数とを示している。
【００３８】
【表３】
2006074270.tif 000005
【００３９】
表４は、ＶＨＦ＿ＭＩＤ帯（Ｃ１３ｃｈ〜Ｃ２２ｃｈ）の各受信チャンネルと中心周波数とを示している。
【００４０】
【表４】
2006074270.tif 000006
【００４１】
表５は、ＶＨＦ＿＿ＳＨＢ帯（Ｃ２３ｃｈ〜Ｃ６３ｃｈ）の各受信チャンネルと中心周波数とを示している。
【００４２】
【表５】
2006074270.tif 000007
【００４３】
本発明では、本来のＵＨＦ帯１３ｃｈ〜６２ｃｈ（４７０ＭＨｚ〜７７０ＭＨｚ）の他に、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能（選局視聴可能）な地上波デジタルＴＶ放送用のＴＶ受信機を適用対象としている。
【００４４】
〔２〕微弱電波の規格についての説明
【００４５】
微弱電波の規格について説明する。微弱電波の規格は、発射する電波が著しく微弱な無線設備として、総務省令で定められており、３メートル地点での電界強度で規定されている。
【００４６】
図１および表６は、微弱電波規格で定められた周波数帯に対する電界強度（許容値）を示している。
【００４７】
【表６】
2006074270.tif 000008
【００４８】
表６に示すように、３２２ＭＨｚ以下及び１５０ＧＨｚ以上の周波数帯については、許容値は５００μＶ／ｍに制限されている。また、３２２ＭＨｚから１０ＧＨｚまでの周波数帯については、陸上移動業務、ＵＨＦ  ＴＶ放送、固定業務および宇宙業務（地球局）に対する混信保護を考慮して、許容値は３５μＶ／ｍに制限されている。また、１０ＧＨｚから１５０ＧＨｚまでの周波数帯については、システム雑音温度、受信帯域幅等を考慮して、許容値は３．５ｆμＶ／ｍ（ｆは使用周波数帯（ＧＨｚ））に制限されている。
【００４９】
微弱電波無線規格による無線システムは、表６の電界強度を満足していれば、周波数、変調方式および通信方式に制約がないため、比較的自由なシステム設計が可能である。
【００５０】
〔３〕地上波デジタルＴＶ放送の無線再配信システムについての説明
【００５１】
図２は、地上波デジタルＴＶ放送の無線再配信システムの概要を示している。
【００５２】
屋上に設けられた屋外アンテナ１によって地上波デジタルＴＶ放送信号が受信される。屋外アンテナ１によって受信された地上波デジタルＴＶ放送信号は、アンテナケーブル２によって部屋の壁面に設けられているＴＶ端子３に導かれる。
【００５３】
ＴＶ端子３には、再配信用の送信機４が接続されている。リモコン送信機として、通常のＴＶ用リモコン送信機２０の他に、再配信リモコン送信機１０が用意されている。再配信リモコン送信機１０は、ユーザが指定した地上波デジタルＴＶ放送の希望チャンネルを、無線または赤外線によって送信機４およびＴＶ受信機６に入力させるために用いられる。
【００５４】
送信機４は、再配信リモコン送信機１０によって入力された地上波デジタルＴＶ放送の希望チャンネルに基づいて、当該希望チャンネルの地上波デジタルＴＶ放送信号の周波数が、予め定められたＶＨＦ帯の特定の１つの空きチャンネルの周波数に変換されるように、ＴＶ端子３から得られた地上波デジタルＴＶ放送信号を、一括して周波数変換する。そして、周波数変換された後の地上波デジタルＴＶ放送信号から、予め定められたＶＨＦ帯の特定の１つの空きチャンネルの周波数のＴＶ放送信号のみを抽出した後、微弱電波の規格の許容値以下の微弱電波で送信アンテナ４４から無線で再送信する。
【００５５】
予め定められたＶＨＦ帯の特定の１つの空きチャンネルとしては、ＶＨＦ帯の空きチャンネルであって、かつ微弱電波規格の制限が緩い３２２ＭＨｚ以下のチャンネルが用いられる。この例では、予め定められたＶＨＦ帯の特定の１つの空きチャンネルとして、ＶＨＦ＿ＳＨＢ帯のＣ３８チャンネル（中心周波数：３１５＋１／７ＭＨｚ）が用いられている。この場合、微弱電波の規格の許容値は５００μＶ／ｍとなる。
【００５６】
地上波デジタルＴＶ放送用のＴＶ受信機６には、再配信用の受信機５が接続されている。地上波デジタルＴＶ放送用のＴＶ受信機６は、本来のＵＨＦ帯１３ｃｈ〜６２ｃｈ（４７０ＭＨｚ〜７７０ＭＨｚ）の他に、ＶＨＦ＿Ｌｏｗ／Ｈｉｇｈ帯（ＶＨＦ１ｃｈ〜ＶＨＦ１２ｃｈ）、ＶＨＦ＿ＭＩＤ帯（Ｃ１３ｃｈ〜Ｃ２２ｃｈ）およびＶＨＦ＿ＳＨＢ帯（Ｃ２３ｃｈ〜Ｃ６３ｃｈ）をも受信可能（選局視聴可能）なＴＶチューナ（ＶＨＦ受信対応地上デジタル放送ＴＶチューナ）を備えている。
【００５７】
受信機５は、受信アンテナ５１によって、送信機４から送信された再配信信号を受信し、受信した信号をＴＶ受信機６内のＴＶチューナが受信可能な所定レベルまで増幅した後、ＴＶ受信機６に送る。
【００５８】
ＴＶ受信機６では、予め定められたＶＨＦ帯の特定の１つの空きチャンネル（ＶＨＦ＿ＳＨＢ帯のＣ３８チャンネル）が選局されることによって、送信機用リモコン送信機１０によって指定された地上波デジタルＴＶ放送が放映される。また、ＴＶ受信機６では、再配信リモコン送信機１０によって入力された地上波デジタルＴＶ放送の希望チャンネルに基づいて、現在視聴している地上波デジタルＴＶ放送のチャンネルが表示される。
【００５９】
図３は、送信機４の構成を示している。
【００６０】
送信機４は、ＵＨＦ受信部４１、周波数変換部４２、ＶＨＦ送信部４３、送信アンテナ４４、再配信リモコン受信部４５および制御部４６を備えている。
【００６１】
屋外アンテナ１によって受信された地上波デジタルＴＶ放送信号は、ＵＨＦ受信部４１によって増幅された後、周波数変換部４２に送られる。周波数変換部４２では、受信された地上波デジタルＴＶ放送信号（受信信号）の全てと、周波数シンセサイザ４７から出力されるローカル信号とが、ミキサー４８によって混合される。ミキサー４８からは、各受信信号とローカル信号との加算信号と減算信号とが出力される。例えば、受信信号の周波数をｆａ、ローカル信号の周波数をｆｂとすると、周波数がｆａ＋ｆｂの加算信号と、周波数がｆａ−ｆｂの減算信号とが、ミキサー４８から出力される。ミキサー４８の出力は、ＢＰＦ（バンドパスフィルタ）４９に送られ、予め定められたＶＨＦ帯の特定の１つの空きチャンネル（この例では、ＶＨＦ＿ＳＨＢ帯のＣ３８チャンネル）の信号のみが抽出される。
【００６２】
周波数シンセサイザ４７から出力されるローカル信号の周波数ｆｂは、制御部４６によって制御される。制御部４６は、再配信リモコン送信機１０から再配信リモコン受信部４５を介して入力された地上波デジタルＴＶ放送の希望チャンネルと、予め設定されている希望チャンネルとローカル周波数との関係を示すテーブルとに基づいて、周波数シンセサイザ４７から出力されるローカル信号の周波数ｆｂを制御する。
【００６３】
つまり、制御部４６は、地上波デジタルＴＶ放送の希望チャンネルの周波数が、予め定められたＶＨＦ帯の特定の１つの空きチャンネル（この例では、ＶＨＦ＿ＳＨＢ帯のＣ３８チャンネル）に変換されるように、ローカル信号の周波数ｆｂを制御する。具体的には、希望チャンネルの地上波デジタルＴＶ放送信号とローカル信号との減算信号の周波数（ｆａ−ｆｂ）が、予め定められたＶＨＦ帯の特定の１つの空きチャンネル（この例では、ＶＨＦ＿ＳＨＢ帯のＣ３８チャンネル）の周波数となるように、ローカル信号の周波数ｆｂが制御される。
【００６４】
表７は、地上波デジタルＴＶ放送が行われているチャンネルおよび中心周波数が表２に示されている近畿広域圏において、予め定められたＶＨＦ帯の特定の１つの空きチャンネル（再配信送信中心周波数）をＶＨＦ＿ＳＨＢ帯のＣ３８チャンネル（中心周波数：３１５＋１／７ＭＨｚ）に設定した場合の、地上波デジタルＴＶ放送の希望チャンネルとローカル信号の周波数（再配信ローカル周波数）との関係を示している。
【００６５】
【表７】
2006074270.tif 000009
【００６６】
例えば、希望チャンネルがＵＨＦ１３ｃｈ（中心周波数：４７３＋１／７ＭＨｚ）である場合には、ローカル信号の周波数ｆｂは１５８ＭＨｚに設定される。ＵＨＦ１３ｃｈのＴＶ放送信号の周波数ｆａは４７３＋１／７ＭＨｚであるので、ＵＨＦ１３ｃｈのＴＶ放送信号とローカル信号との減算信号の周波数は、３１５＋１／７（＝４７３＋１／７−１５８）ＭＨｚ、つまり、ＶＨＦ＿ＳＨＢ帯のＣ３８チャンネルの周波数となる。
【００６７】
つまり、図４に示すように、屋外アンテナ１によって受信された地上波デジタルＴＶ放送信号の全チャンネルをＡ、そのうちの希望チャンネルをＢとすると、希望チャンネルＢの周波数は、周波数変換部４２によって３２２ＭＨｚ以下の予め定められたＶＨＦ帯の特定の１つの空きチャンネルＣの周波数に周波数変換される。
【００６８】
周波数変換部４２によってＶＨＦ帯の特定の１つの空きチャンネル（この例では、ＶＨＦ＿ＳＨＢ帯のＣ３８チャンネル）に周波数変換された地上波デジタルＴＶ放送信号は、ＶＨＦ送信部４３によって増幅されて、送信アンテナ４４から無線送信される。なお、ＶＨＦ送信部４３では、無線送信される信号レベルが微弱電波規格による許容値を越えないように、ＡＧＣが行われる。
【００６９】
図５は、受信機５およびＴＶ受信機６の構成を示している。
【００７０】
受信機５は、受信アンテナ５１およびＶＨＦ受信部５２を備えている。
【００７１】
送信機４から無線送信された地上波デジタルＴＶ放送信号（ＶＨＦ帯の特定の１つの空きチャンネル（この例では、ＶＨＦ＿ＳＨＢ帯のＣ３８チャンネル）に周波数変換された後の地上波デジタルＴＶ放送信号）は、受信アンテナ５１によって受信される。受信アンテナ５１によって受信されたＴＶ放送信号は、ＶＨＦ受信部５２によって増幅された後、地上波デジタルＴＶ放送用のＴＶ受信機６に送られる。
【００７２】
ＴＶ受信機６に入力したＴＶ放送信号は、ＲＦ／ＩＦ部６１に送られる。ユーザは、ＴＶ用リモコン送信機２０によって予め定められたＶＨＦ＿ＳＨＢの特定の１つの空きチャンネル（この例では、ＶＨＦ＿ＳＨＢ帯のＣ３８チャンネル）を選局チャンネルとして指定する。ＴＶ用リモコン送信機２０によって指定された選局チャンネル（Ｃ３８）は、ＴＶ用リモコン受信機７３を介して制御部７０に送られる。ＲＦ／ＩＦ部６１は、制御部７０によって、ＴＶ用リモコン送信機２０によって指定された選局チャンネル（この例では、ＶＨＦ＿ＳＨＢ帯のＣ３８チャンネル）を選局するように制御される。
【００７３】
ＲＦ／ＩＦ部６１は、Ｃ３８チャンネルのＴＶ放送信号をベースバンド信号にダウンコンバートする。ＲＦ／ＩＦ部６１によって得られた信号は、ＯＦＤＭ復調部６２によってデジタル復調された後、ＡＶ復号部６３に送られる。ＡＶ復号部６３では、受信信号が復号され、映像信号と音声信号とが再生される。再生された映像信号は、表示部（モニタ）６４に送られ、再生された音声信号はスピーカ６５に送られる。この結果、再配信リモコン送信機１０によって指定した希望チャンネルの地上波デジタル放送が放映されることになる。
【００７４】
一方、再配信リモコン送信機１０から送られてきた地上波デジタルＴＶ放送の希望チャンネルは、再配信リモコン受信部７２を介して制御部７０に入力する。制御部７０は、再配信リモコン受信部７２を介して入力された地上波デジタルＴＶ放送の希望チャンネルに基づいて、ＯＳＤ表示部７１に当該希望チャンネルを表すＯＳＤ用の映像信号を発生させる。ＯＳＤ表示部７１から発生した希望チャンネルを表すＯＳＤ用の映像信号は、ＡＶ復号部６３を介して表示部６４に送られる。その結果、現在、視聴されているの地上波デジタルＴＶ放送のチャンネルが、表示部６４にオンスクリーン表示される。
【００７５】
このため、ユーザは、現在視聴している地上波デジタルＴＶ放送のチャンネルを認識することができる。
【００７６】
なお、上記実施例では、ＴＶ受信機６に再配信リモコン受信部７２を設けて、再配信リモコン送信機１０から送信される希望チャンネルを再配信リモコン受信部７２を介して受信しているが、再配信リモコン送信機１０から送信機４に入力された希望チャンネルを、送信機４から受信機５を介してＴＶ受信機６に入力させるようにしてもよい。この場合には、ＴＶ受信機６に再配信リモコン受信部７２を設ける必要はない。
【００７７】
なお、上記実施例では、ＶＨＦ帯の特定の１つの空きチャンネルとして、ＶＨＦ＿ＳＨＢ帯の空きチャンネルであって、かつ３２２ＭＨｚ以下のチャンネルが設定されているが、ＶＨＦ＿Ｌｏｗ／Ｈｉｇｈ帯またはＶＨＦ＿ＭＩＤ帯の１つの空きチャンネルであって、かつ３２２ＭＨｚ以下のチャンネルをＶＨＦ帯の特定の１つの空きチャンネルとして設定するようにしてもよい。
【００７８】
上記実施例では、送信機４によって周波数変換を行っているので、地上波デジタルＴＶ放送信号の同一チャンネル妨害の発生を防止できる。また、送信機４は、地上波デジタルＴＶ放送信号の周波数をＴＶ受信機６が選局動作可能なＶＨＦ帯の周波数に変換しているため、受信機５は受信信号の周波数を元の周波数に戻す必要がないので、受信機の回路構成が簡単かつ安価となるという利点がある。また、受信機５は特定の１つのチャンネルの信号のみを受信して増幅すればよいので、より受信機の回路構成が簡単かつ安価となるという利点がある。さらに、現在放映されている地上波デジタルＴＶ放送のチャンネルが表示されるので、ユーザは現在視聴している地上波デジタルＴＶ放送のチャンネルを認識しやすくなる。
【図面の簡単な説明】
【００７９】
【図１】微弱電波規格で定められた周波数帯に対する電界強度（許容値）を示すグラフである。
【図２】地上波デジタルＴＶ放送の無線再配信システムの概要を示す模式図である。
【図３】送信機の構成を示すブロック図である。
【図４】図３の周波数変換部による周波数変換を説明するための模式図である。
【図５】受信機およびＴＶ受信機の構成を示すブロック図である。
【符号の説明】
【００８０】
１  屋外アンテナ
４  送信機
５  受信機
６  ＴＶ受信機
１０  再配信リモコン送信機
４１  ＵＨＦ受信部
４２  周波数変換部
４３  ＶＨＦ送信部
４５  再配信リモコン受信部
４６  制御部
７０  制御部
７１  ＯＳＤ表示部
７２  再配信リモコン受信部
【図１】
2006074270.tif 000010
【図２】
2006074270.tif 000011
【図３】
2006074270.tif 000012
【図４】
2006074270.tif 000013
【図５】
2006074270.tif 000014